(57)【特許請求の範囲】
【請求項１】
液晶表示パネルと、
前記液晶表示パネルの背面に配置される導光板と、
前記導光板の背面で前記導光板を収納し、前記導光板が安着される底面と当該底面から延びて前記導光板の側面を覆う側壁とを備える反射板と、
前記反射板の下部に位置して前記液晶表示パネル、前記導光板及び前記反射板を収納する金属製の板状のボトムシャーシと、
を含み、
前記ボトムシャーシは、
前記導光板及び前記反射板が安着される底面と、
当該底面から延びて前記反射板の側壁を覆う第１側壁と、
前記第１側壁から前記底面と平行な平面上において外側に延び、前記液晶表示パネルが安着される段差部と、
当該段差部から上部方向に折曲がって延びた第２側壁と、
前記第２側壁の上側から外側へ複数回折曲がった形状で延びた補強部と、
を備えることを特徴とする、液晶表示装置。
【請求項２】
前記反射板の側壁の高さは、前記導光板の高さよりも高いか同一に設定されることを特徴とする、請求項１に記載の液晶表示装置。
【請求項３】
前記液晶表示パネルと前記導光板との間に位置する光学シートを更に含み、
前記反射板の側壁の高さは、前記導光板上に積層された前記光学シートの側壁を覆うように前記光学シートの高さよりも高いか同一に設定されることを特徴とする、請求項１に記載の液晶表示装置。
【発明の詳細な説明】
【技術分野】
【０００１】
本発明は、液晶表示装置に関し、特に製造コストを低減し、光効率を向上させることができる液晶表示装置に関する。
【背景技術】
【０００２】
近年、液晶表示装置（Ｌｉｑｕｉｄ  Ｃｒｙｓｔａｌ  Ｄｉｓｐｌａｙ  Ｄｅｖｉｃｅ）は小型化及び軽量化が可能となるにつれ、低電力駆動が可能であることから、モニタ及びテレビだけでなく、携帯用機器などでもその需要が急増している。
【０００３】
このような液晶表示装置は、液晶表示パネルと、液晶表示パネルに光を供給するバックライトアセンブリと、液晶表示パネル及びバックライトアセンブリを収納するボトムシャーシとを含む。
【０００４】
【特許文献１】特開平２００４−０５３６８２号公報
【特許文献２】大韓民国特許登録第０７０７０１２号明細書
【特許文献３】大韓民国特許登録第０４７２４００号明細書
【発明の開示】
【発明が解決しようとする課題】
【０００５】
ここで、バックライトアセンブリは、発光ダイオード、発光ダイオード基板、導光板、反射板及び光学シートと、これらの側面を覆う側壁を備えたモールドフレームと、を含む多様な構成要素により構成される。これにより、液晶表示装置の製造コストが増加してしまうという問題点がある。
【０００６】
また、製造コストを減少させるために、液晶表示パネルに光を供給するのに直接関与しないモールドフレームを除去できる。しかし、この場合、導光板の側面に放出される光のうち、バックライトアセンブリの内部に再供給される光の割合が顕著に低くなり、光効率が減少する恐れがある。
【０００７】
そこで、本発明は、上記問題に鑑みてなされたものであり、本発明の目的とするところは、モールドフレームを除去して製造コストを低減すると共に、光効率を向上させることが可能な、新規かつ改良された液晶表示装置を提供することにある。
【課題を解決するための手段】
【０００８】
上記課題を解決するために、本発明のある観点によれば、液晶表示パネルと、上記液晶表示パネルの背面に配置される導光板と、上記導光板の背面で上記導光板を収納し、上記導光板が安着される底面と当該底面から延びて上記導光板の側面を覆う側壁とを備える反射板と、上記反射板の下部に位置して上記液晶表示パネル、上記導光板及び上記反射板を収納するボトムシャーシと、を含むことを特徴とする、液晶表示装置が提供される。
【０００９】
また、上記反射板の側壁の高さは、上記導光板の高さよりも高いか同一に設定されてもよい。
【００１０】
また、上記液晶表示パネルと上記導光板との間に位置する光学シートを更に含み、上記反射板の側壁の高さは、上記導光板上に積層された上記光学シートの側壁を覆うように上記光学シートの高さよりも高いか同一に設定されてもよい。
【００１１】
また、上記ボトムシャーシは、上記導光板及び上記反射板が安着される底面と、当該底面から延びて上記反射板の側壁を覆う第１側壁と、を備えてもよい。
【００１２】
また、上記ボトムシャーシは、上記第１側壁から上記底面と平行な平面上において外側に延びた段差部と、当該段差部から上部方向に折曲がって延びた第２側壁と、を更に備えてもよい。
【００１３】
また、上記段差部には上記液晶表示パネルが安着されてもよい。
【００１４】
また、上記第２側壁の外側に延びた補強部を更に備えてもよい。
【００１５】
また、上記補強部は、上記第２側壁の上側で少なくとも一回以上折曲がった形状で形成されてもよい。
【発明の効果】
【００１６】
以上説明したように本発明によれば、モールドフレームを除去して製造コストを低減すると共に、光効率を向上させることができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
図１は、本発明の一実施形態による液晶表示装置を示す分解斜視図であり、図２は、図１に示した反射板を拡大して示す斜視図である。そして、図３は、図１のＩ−Ｉ’線に沿った液晶表示装置の断面を示す断面図であり、図４は、従来の液晶表示装置と本発明による液晶表示装置の輝度を比較して示す図である。
【００１９】
図１〜図４を参照すれば、本実施形態による液晶表示装置１００は、液晶表示パネル１０４、バックライトアセンブリ１５０及びボトムシャーシ（またはベゼル)１２２を含む。
【００２０】
液晶表示パネル１０４は、第１基板１０４ａ、第２基板１０４ｂ及びこれらの間に注入される液晶（図示せず）を備える。このような液晶表示パネル１０４は、第２基板１０４ｂの一側に実装された集積回路１０６から供給される駆動信号に対応して画像を表示する。
【００２１】
バックライトアセンブリ１５０は、発光ダイオード１１２、発光ダイオード基板１１４、導光板１１８、反射板１２０及び光学シート１１０を備える。
【００２２】
発光ダイオード１１２は、発光ダイオード基板１１４から供給される駆動信号に対応して所定輝度の光を生成する。
【００２３】
発光ダイオード基板１１４は、外部から供給される制御信号に対応して発光ダイオード１１２に駆動信号を供給する。
【００２４】
導光板１１８は、液晶表示パネル１０４の背面に配置されて発光ダイオード１１２から供給される光を液晶表示パネル１０４に供給する。即ち、導光板１１８は自身の側面から供給された光を自身の上部に位置する液晶表示パネル１０４に供給する。
【００２５】
反射板１２０は、導光板１１８が安着される底面１２０ａと、底面１２０ａから上部直角方向に延びて導光板１１８の側面を覆う側壁１２０ｂと、を備える。即ち、反射板１２０は導光板１１８の背面で導光板１１８を収納する。
【００２６】
ここで、反射板１２０の側壁１２０ｂの高さ（液晶表示パネル１０４方向の長さ）は、導光板１１８の高さ（厚み）よりも高いか同一に設定される。これにより、導光板１１８の側面から放出される光がバックライトアセンブリ１５０の内部、特に、導光板１１８に再供給され得る。
【００２７】
即ち、本実施形態によれば、反射板１２０に側壁１２０ｂを形成することで、光効率を向上させることができる。特に、反射板１２０は従来のモールドフレームよりも高い光反射率を有するので、モールドフレームを除去しても従来に比べて高い光効率を得ることができる。これにより、輝度が改善された液晶表示装置１００を提供できる。
【００２８】
また、反射板１２０の側壁１２０ｂが導光板１１８とボトムシャーシ１２２の側面との間に空間を埋めて安定した光特性が得られる。
【００２９】
更に、反射板１２０の側壁１２０ｂの高さは、光学シート１１０の高さ（厚み方向の位置）よりも高いか同一に設定されて、バックライトアセンブリ１５０の光効率を最大化するように設定され得る。即ち、反射板１２０の側壁１２０ｂは、導光板１１８上に光学シート１１０を積層したとき、光学シート１１０の側面も全て覆うように形成され得る。その結果、反射板１２０の側壁１２０ｂは、光学シート１１０の側方より漏れ出る光をも反射して、その光学シート１１０へと再供給させることができる。よって、更に光効率を高めることができる。
【００３０】
なお、図１及び図２では、反射板１２０の側壁１２０ｂが、四隅（つまり、底面１２０ａの角部）に隙間を有する形状を示しているが、反射板１２０は四隅に隙間を有さなくてもよいことは言うまでもない。ただし、反射板１２０を一枚の板材を折曲げて形成する場合、四隅に隙間を形成することにより、反射板１２０の側壁１２０ｂの形成に過度な精度を要求せずに済み、容易に製作することができる。一方、四隅の隙間を形成しない場合には、四隅に到達した光をも反射させて、導光板１１８及び光学シート１１０に再入射させることができるので、更に光効率を向上させることができる。
【００３１】
光学シート１１０は、液晶表示パネル１０４と導光板１１８との間に位置し、導光板１１８から供給される光の輝度などを向上させて液晶表示パネル１０４に供給する。
【００３２】
ボトムシャーシ１２２は、強度が大きい金属などで形成され、反射板１２０の下部に位置して液晶表示パネル１０４及びバックライトアセンブリ１５０を収納する。
【００３３】
より具体的には、ボトムシャーシ１２２は底面１２２ａ、第１側壁１２２ｂ、段差部１２２ｃ及び第２側壁１２２ｄを備える。底面１２２ａには光学シート１１０、導光板１１８及び反射板１２０が安着され、第１側壁１２２ｂは、底面１２２ａから上部直角方向に延びて反射板１２０の側壁１２０ｂを覆うように形成される。そして、段差部１２２ｃは第１側壁１２２ｂから直角方向の外側に延びて底面１２０ａと平行な平面上に配置され、液晶表示パネル１０４が安着される。また、第２側壁１２２ｄは段差部１２２ｃから上部直角方向に折曲がるように延びて液晶表示パネル１０４の側面を覆うように形成される。
【００３４】
このように、ボトムシャーシ１２２の底面１２２ａと第１側壁１２２ｂとからなる内部空間に光学シート１１０、導光板１１８及び反射板１２０を安定的に収納すれば、モールドフレームを除去できる。
【００３５】
前述した本実施形態による液晶表示装置１００によれば、モールドフレームを除去して液晶表示装置１００の製造コストを低減しながら、スリム化した液晶表示装置１００を提供できる。
【００３６】
また、強度が大きい金属で形成されたボトムシャーシ１２２にバックライトアセンブリ１５０が挿入されるため、従来よりも剛性の向上した液晶表示装置を提供できる。
【００３７】
更に、導光板１１８の側面を覆う側壁１２０ｂを備えた反射板１２０を含むことで、光効率を向上させることができる。これにより、液晶表示パネル１０４で表示される画像の輝度を改善できる。
【００３８】
図４に示すように、実際に、モールドフレームを備え、反射板には側壁が備えられない従来の液晶表示装置と、モールドフレームを除去し、反射板１２０に側壁１２０ｂを備えた本発明による液晶表示装置の輝度を比較した。その結果、本発明による液晶表示装置の輝度が平均約１０％上昇することが確認できる。
【００３９】
図４において、輝度の測定のために用いられた液晶表示装置は全て２インチ用（即ち、アクティブ領域の横及び縦のサイズは、それぞれ３０.６ｍｍと４０.８ｍｍである）であり、従来の液晶表示装置と本発明の液晶表示装置には、それぞれ１０個のモジュールを用意した（モジュール番号）。そして、測定に用いた液晶表示装置において、パネルサイズ及び発光ダイオードなどの条件は同一に設定した。
【００４０】
一方、本実施形態では液晶表示装置１００の剛性を更に向上させるために、ボトムシャーシ１２２に多様な構成を追加してもよい。
【００４１】
図５は、図１及び図３に示したボトムシャーシに補強部が形成された液晶表示装置の断面を示す断面図である。
【００４２】
図５に示すように、ボトムシャーシ１２２の第２側壁１２２ｄの外側に延びる補強部１２４が追加されてもよい。このような補強部１２４は第２側壁１２２ｄの上側で少なくとも一回以上折曲がった形状で形成されて液晶表示装置１００の剛性を向上させることができる。
【００４３】
実際に、ボトムシャーシ１２２に補強部１２４が形成されると、外部から加えられる衝撃が補強部１２４によって緩和されることで、内部の液晶表示パネル１０４などが安定的に保護され得る。
【００４４】
一方、上記ではモールドフレームが除去された構造に適用され、側壁を有する反射板を採用した液晶表示装置についてのみ記述したが、本発明はこれに限定されるものではない。例えば、本発明の技術思想に着目してモールドフレームが挿入される液晶表示装置の反射板にも側壁を形成して光効率を向上させることができるのは勿論である。この場合、ボトムシャーシには段差部が形成されないこともあり得る。
【００４５】
以上、本発明の一実施形態に係る液晶表示装置について説明した。この液晶表示装置によれば、モールドフレームを除去して液晶表示装置の製造コストを低減することができる。
【００４６】
また、導光板の側面を覆う側壁を備えた反射板を含むことで、光効率を向上させることができる。これにより、液晶表示パネルで表示される画像の輝度を改善できる。
【００４７】
更に、強度が大きい金属で形成されたボトムシャーシにバックライトアセンブリが挿入されるので、剛性の向上した液晶表示装置を提供できる。特に、ボトムシャーシに補強部を更に形成する場合、より高い剛性を有する液晶表示装置を提供できる。
【００４８】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００４９】
【図１】本発明の一実施形態による液晶表示装置を示す分解斜視図である。
【図２】図１に示す反射板を拡大して示す斜視図である。
【図３】図１のＩ−Ｉ’線に沿った液晶表示装置の断面を示す断面図である。
【図４】従来の液晶表示装置と本発明による液晶表示装置の輝度を比較して示す図である。
【図５】図１及び図３に示したボタムシャーシに補強部が形成された液晶表示装置の断面を示す断面図である。
【符号の説明】
【００５０】
１０４    液晶表示パネル
１１０    光学シート
１１２    発光ダイオード
１１８    導光板
１２０    反射板
１２０ｂ  側壁
１２２    ボトムシャーシ
１２４    補強部
【図１】
0005118540.tif 000002
【図２】
0005118540.tif 000003
【図３】
0005118540.tif 000004
【図４】
0005118540.tif 000005
【図５】
0005118540.tif 000006